(57)【特許請求の範囲】
【請求項１】
着用者からの排泄物を受ける吸収性物品であって、
バックシートとトップシートとの間に吸収コアが配置されたシート状の本体部と、
前記本体部の両側部上において前記本体部の長手方向に伸びる一対の側壁部と、
を備え、
各側壁部が、
前記本体部を伸張した状態において、前記本体部上にて前記長手方向に伸びる第１帯状部、および、前記第１帯状部と前記本体部との間に配置されるとともに前記長手方向に沿う両エッジが前記第１帯状部の両エッジと接続する第２帯状部を有する帯状袋部と、
前記第１帯状部に接合されるとともに、前記長手方向における前記帯状袋部の一方の端部近傍から他方の端部近傍に亘って配置される弾性部材と、
を備え、
前記長手方向における前記帯状袋部の中央部において、前記弾性部材が、前記長手方向に沿う線状であり、前記第１帯状部の前記両エッジから離間して、前記長手方向に垂直な幅方向における前記帯状袋部のおよそ中央に位置し、
前記長手方向における前記帯状袋部の両端部近傍において前記弾性部材と前記第１帯状部の前記両エッジとの間の距離が、前記中央部における前記距離よりも短く、
前記弾性部材が収縮することにより前記帯状袋部において前記本体部から起立する起立部が形成され、
前記両端部において、前記第１帯状部と前記第２帯状部とが重なった状態、および、前記第２帯状部が前記本体部に重なった状態が維持されることを特徴とする吸収性物品。
【請求項２】
請求項１に記載の吸収性物品であって、
前記弾性部材が、前記一方の端部近傍から前記他方の端部近傍に亘って配置される２本の糸状弾性要素の集合であり、
前記２本の糸状弾性要素が、前記中央部において前記幅方向に互いに近接し、前記両端部近傍において前記幅方向に離れることを特徴とする吸収性物品。
【請求項３】
請求項１または２に記載の吸収性物品であって、
前記本体部の前記両側部上に一対のサイドシートが配置され、
前記各側壁部がサイドシートの一部であり、
前記本体部を伸張した状態の前記各側壁部において、前記幅方向に関して前記第２帯状部が帯状の内側部と外側部とに分離しており、
各サイドシートが、
前記外側部の内側エッジから前記外側部と前記本体部との間を介して前記幅方向の外側に広がる第１シート基部と、
前記内側部から連続するとともに前記第１シート基部と前記本体部との間を介して前記幅方向の外側に広がる第２シート基部と、
を備え、
前記両端部において前記第２シート基部の前記本体部に対向する面が前記本体部に接合され、前記中央部近傍において前記第２シート基部が、前記帯状袋部よりも外側にて前記本体部に接合されることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつ等の吸収性物品では、従来より、本体部の両側部上に一対の側壁部が設けられており、側壁部の自由端に設けられた弾性糸等が収縮することにより側壁部の一部が起立部として着用者に向かって起立する。吸収性物品の着用時には、一対の起立部が着用者の足の付け根近傍に当接する立体ギャザーとなり、これにより、吸収性物品からの排泄物の漏出が防止される。
【０００３】
なお、特許文献１の使い捨ておむつでは、トップシート側における左右両側部に、それぞれバックシートに連設された内側シートが配設され、両内側シートの内側縁部には、伸縮弾性部材がそれぞれ伸張した状態で配設・固定され、左右一対の襞部ギャザーが形成される。また、襞部ギャザーの長手方向略中央部とレッグギャザーの長手方向略中央の内側部とが接合される。これにより、特許文献１の使い捨ておむつでは、襞部のみならず、レッグギャザーも立体形状をとり、着用者の足ぐりからの液の漏れが効果的に防止される。
【先行技術文献】
【特許文献】
【０００４】
【特許文献１】特開２００４−４８１号公報
【発明の概要】
【発明が解決しようとする課題】
【０００５】
ところで、吸収性物品において、着用者の股間部に対向する中央部では、側壁部（起立部）が本体部から大きく起立し、着用者の腹側および背側の肌に接する端部では、側壁部が本体部上に重ねられる。一方、端部と中央部との間では、一般的に、側壁部は中央部と同様の構造であるため、吸収性物品の着用時には、境界部における起立部（立体ギャザー）が本体部側に押し倒され、起立部の上端部（自由端）が着用者の肌にしっかりと沿いにくくなり、排泄物の漏れ等が生じる虞がある。
【０００６】
本発明は上記課題に鑑みなされたものであり、端部と中央部との間の境界部において起立部を着用者の肌に沿わせることを目的としている。
【課題を解決するための手段】
【０００７】
請求項１に記載の発明は、着用者からの排泄物を受ける吸収性物品であって、バックシートとトップシートとの間に吸収コアが配置されたシート状の本体部と、前記本体部の両側部上において前記本体部の長手方向に伸びる一対の側壁部とを備え、各側壁部が、前記本体部を伸張した状態において、前記本体部上にて前記長手方向に伸びる第１帯状部、および、前記第１帯状部と前記本体部との間に配置されるとともに前記長手方向に沿う両エッジが前記第１帯状部の両エッジと接続する第２帯状部を有する帯状袋部と、前記第１帯状部に接合されるとともに、前記長手方向における前記帯状袋部の一方の端部近傍から他方の端部近傍に亘って配置される弾性部材とを備え、前記長手方向における前記帯状袋部の中央部において、前記弾性部材が、前記長手方向に沿う線状であり、前記第１帯状部の前記両エッジから離間して、前記長手方向に垂直な幅方向における前記帯状袋部のおよそ中央に位置し、前記長手方向における前記帯状袋部の両端部近傍において前記弾性部材と前記第１帯状部の前記両エッジとの間の距離が、前記中央部における前記距離よりも短く、前記弾性部材が収縮することにより前記帯状袋部において前記本体部から起立する起立部が形成され、前記両端部において、前記第１帯状部と前記第２帯状部とが重なった状態、および、前記第２帯状部が前記本体部に重なった状態が維持される。
【００１０】
請求項２に記載の発明は、請求項１に記載の吸収性物品であって、前記弾性部材が、前記一方の端部近傍から前記他方の端部近傍に亘って配置される２本の糸状弾性要素の集合であり、前記２本の糸状弾性要素が、前記中央部において前記幅方向に互いに近接し、前記両端部近傍において前記幅方向に離れる。
【００１１】
請求項３に記載の発明は、請求項１または２に記載の吸収性物品であって、前記本体部の前記両側部上に一対のサイドシートが配置され、前記各側壁部がサイドシートの一部であり、前記本体部を伸張した状態の前記各側壁部において、前記幅方向に関して前記第２帯状部が帯状の内側部と外側部とに分離しており、各サイドシートが、前記外側部の内側エッジから前記外側部と前記本体部との間を介して前記幅方向の外側に広がる第１シート基部と、前記内側部から連続するとともに前記第１シート基部と前記本体部との間を介して前記幅方向の外側に広がる第２シート基部とを備え、前記両端部において前記第２シート基部の前記本体部に対向する面が前記本体部に接合され、前記中央部近傍において前記第２シート基部が、前記帯状袋部よりも外側にて前記本体部に接合される。
【発明の効果】
【００１２】
本発明によれば、端部と中央部との間の境界部において起立部を着用者の肌に沿わせることができる。
【００１３】
また、中央部において起立部を大きく起立させることができ、境界部において起立部を着用者に密着させることができる。
【図面の簡単な説明】
【００１４】
【図１】補助吸収具の平面図である。
【図２】補助吸収具の断面図である。
【図３】補助吸収具の断面図である。
【図４】補助吸収具の断面図である。
【図５．Ａ】サイドシート本体の作製例を説明するための図である。
【図５．Ｂ】サイドシート本体の作製例を説明するための図である。
【図６】補助吸収具の他の例を示す図である。
【図７】補助吸収具のさらに他の例を示す図である。
【図８】補助吸収具のさらに他の例を示す図である。
【発明を実施するための形態】
【００１５】
図１は、本発明の一の実施の形態に係る補助吸収具１を広げた状態にて示す平面図である。補助吸収具１は、着用者が着用する使い捨ておむつ等の外装物品の内側（すなわち、着用者側）に取り付けられて着用者からの排泄物を受ける吸収性物品である。図１では、着用時に着用者に接する側の面を手前にして補助吸収具１を描いている。
【００１６】
図２ないし図４は、補助吸収具１を図１中に示すII−IIの位置、III−IIIの位置およびIV−IVの位置で長手方向（すなわち、図１中における上下方向）に垂直な面で切断した断面図である。図２は、長手方向の一方の端部近傍における補助吸収具１の断面を示し、図４は、長手方向の中央部近傍における補助吸収具１の断面を示し、図３は、当該端部と当該中央部との間の境界部における補助吸収具１の断面を示す。図２ないし図４では、補助吸収具１の断面における右側の部分のみを示し、図示の都合上、補助吸収具１の各構成を厚さ方向（すなわち、図２ないし図４中における上下方向）に離して描いている。なお、長手方向の他方の端部近傍における補助吸収具１の断面は図２と同様であり、当該端部と中央部との間の境界部における補助吸収具１の断面は図３と同様である。
【００１７】
図１ないし図４に示すように、補助吸収具１は、略シート状の本体部２、および、本体部２の両側部（すなわち、長手方向に垂直な幅方向の両側）上に配置されて本体部２の長手方向のおよそ全長に亘る一対のサイドシート３を備える。
【００１８】
本体部２の図１中における上側の部位および下側の部位はそれぞれ、着用者の腹側および背側の肌に接する部位であり、以下の説明では、「前方部」および「後方部」と呼ぶ。また、前方部と後方部との間において前方部および後方部から連続するとともに着用者の股間部に対向する部位を「中央部」と呼ぶ。補助吸収具１では、本体部２が前方部、中央部および後方部を長手方向に順に有し、前方部および後方部の幅方向の幅が、中央部の幅よりも大きい。換言すれば、本体部２は、平面視においていわゆる砂時計型である。
【００１９】
図２ないし図４に示すように、本体部２は、透液性のトップシート２１、撥水性または不透液性のバックシート２３、および、トップシート２１とバックシート２３との間に配置された吸収コア２２を備える。バックシート２３は、複数のシート部材（本実施の形態では、第１シート２３１および第２シート２３２の２枚のシート部材）が積層された積層構造を有する。第１シート２３１は、トップシート２１および吸収コア２２に対向し、第２シート２３２は、第１シート２３１と同形状であり、第１シート２３１の外面（すなわち、着用者やトップシート２１および吸収コア２２とは反対側の面）に接合される。
【００２０】
吸収コア２２は、トップシート２１と対向する第１吸収部２２１、および、バックシート２３と対向する第２吸収部２２２を有し、第２吸収部２２２および第１吸収部２２１は厚さ方向に重ねられる。第２吸収部２２２は本体部２の長手方向に長い略矩形であり、第１吸収部２２１は第２吸収部２２２よりも幅方向の外側に広がる。図１では、図の理解を容易にするために、第１吸収部２２１および第２吸収部２２２の輪郭を太破線にて描いている。図１に示すように、前方部および後方部における第１吸収部２２１の幅は、中央部における第１吸収部２２１の幅よりも大きい。換言すれば、第１吸収部２２１は、いわゆる砂時計型である。
【００２１】
図２ないし図４に示すように、トップシート２１は、吸収コア２２の周りにおいてホットメルト接着剤を介してバックシート２３に接合される。また、各サイドシート３の幅方向の外側の部位３３（後述するサイドシート本体３１における外側の部位であり、以下、「基部３３」という。）は、長手方向の全長に亘ってトップシート２１の側端部およびバックシート２３の側端部にホットメルト接着剤を介して接合される。図２ないし図４では、サイドシート３に付着する接着剤の層３９を太線にて示している。上記ホットメルト接着剤としては、ポリオレフィン系、ゴム系、酢酸ビニル系等のものが利用される。なお、トップシート２１とバックシート２３との接合や、サイドシート３とトップシート２１およびバックシート２３との接合、あるいは、後述するサイドシート３の部位同士の接合は、ホットメルト接着剤等の接着剤を用いる以外に、熱融着接合や超音波接合等により行われてもよい。
【００２２】
トップシート２１は透液性のシート材料であり、着用者からの排泄物の水分を速やかに捕捉して吸収コア２２へと移動させる。トップシート２１は、例えば、表面を界面活性剤により親水処理した疎水性繊維（ポリプロピレン、ポリエチレン、ポリエステル、ポリアミド、ナイロン等）にて形成された透液性の不織布であり、当該不織布として、例えば、ポイントボンド不織布やエアスルー不織布、スパンボンド不織布が利用される。なお、トップシート２１として、セルロースやレーヨン、コットン等の親水性繊維により形成された不織布（例えば、スパンレース不織布）が利用されてもよい。
【００２３】
吸収コア２２の第１吸収部２２１および第２吸収部２２２は、粉砕したパルプ繊維やセルロース繊維等の親水性繊維により形成される。トップシート２１を透過した水分は、第１吸収部２２１にて迅速に吸収され、第１吸収部２２１および第２吸収部２２２にて保持される。吸収性材料を包むティッシュペーパーや透液性不織布等は、ホットメルト接着剤により吸収性材料と接合されて、吸収性材料の脱落（特に、吸水後における脱落）等が防止される。なお、吸収コア２２は、親水性繊維に吸収性材料を混合したもの等により形成される１つの吸収部であってもよい。
【００２４】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。本実施の形態では、バックシート２３の第１シート２３１としてプラスチックフィルムが利用され、第２シート２３２として不織布が利用される。補助吸収具１のムレを防止して着用者の快適性を向上するという観点からは、第１シート２３１として透湿性（通気性）を有するプラスチックフィルムが利用されることが好ましい。
【００２５】
図１ないし図４に示すように、各サイドシート３は、サイドシート本体３１、および、サイドシート本体３１にホットメルト接着剤により接合されて長手方向に伸びる複数の（本実施の形態では３本の）糸状弾性要素３４１，３４２，３５１を有する。既述のように、幅方向におけるサイドシート本体３１の外側の部位（すなわち、本体部２の側部エッジに近い部位）は、本体部２に固定される基部３３である。一方、幅方向におけるサイドシート本体３１の内側の部位３２（すなわち、基部３３よりも内側にて基部３３に連続する部位であり、以下、「側壁部３２」という。）は、図２ないし図４に示すように、長手方向の両端部を除いてトップシート２１（および他の構成）と非接合である。
【００２６】
ここで、サイドシート３の一部である側壁部３２の構造の理解を容易にするために、サイドシート本体３１を作製する一例について説明する。本作製例では、図５．Ａに示すように、所定の第１折曲線４１にて２つ折りにしたシート４を、第１折曲線４１に平行な第２折曲線４２にて垂直に折り曲げ、さらに、図５．Ｂに示すように、第１折曲線４１が第２折曲線４２とおよそ重なるように、第１折曲線４１と第２折曲線４２との間の部位を袋状に広げることにより、サイドシート本体３１が作製される。図５．Ｂのサイドシート本体３１では、袋状に広がるとともに、第１折曲線４１および第２折曲線４２に沿う部位３２３（以下、「帯状袋部３２３」という。）において、図５．Ｂの上側に位置する帯状の部位３２１（以下、「第１帯状部３２１」という。）と、下側に位置する帯状の部位３２２（以下、「第２帯状部３２２」という。）とが重ねられる。実際には、既述の糸状弾性要素３４１，３４２，３５１がシート４に伸張状態にて予め接合される。糸状弾性要素３４１，３４２は帯状袋部３２３内にて第１帯状部３２１上に位置し、糸状弾性要素３４１，３４２および帯状袋部３２３により側壁部３２が形成される。
【００２７】
補助吸収具１では、サイドシート本体３１は本体部２に接合されており、本体部２を伸張した状態において（図５．Ｂ、および、伸張した状態と収縮した状態とでほぼ同様の断面形状である図２参照）、側壁部３２は、本体部２上にて長手方向に伸びる第１帯状部３２１、および、第１帯状部３２１と本体部２との間に配置されるとともに長手方向に沿う両エッジ（以下、長手方向に沿うエッジを単に「エッジ」という。）が第１帯状部３２１の両エッジと接続する第２帯状部３２２を有する。また、第２帯状部３２２は、幅方向に関して帯状の内側部３２２１と外側部３２２２とに分離している。サイドシート本体３１の基部３３は、外側部３２２２の内側エッジから外側部３２２２と本体部２との間を介して幅方向の外側に広がる第１シート基部３３１、および、内側部３２２１から連続するとともに第１シート基部３３１と本体部２との間を介して幅方向の外側に広がる第２シート基部３３２を有する。
【００２８】
２本の糸状弾性要素３４１，３４２は、図１に示すように、長手方向における帯状袋部３２３の一方の端部３０１近傍から他方の端部３０３近傍に亘って配置され、第１帯状部３２１にホットメルト接着剤により接合される。長手方向における帯状袋部３２３の中央部３０２では、２本の糸状弾性要素３４１，３４２は、図５．Ｂの第１折曲線４１上に位置し、幅方向における帯状袋部３２３のおよそ中央にて密になって、長手方向に沿う線状となる。すなわち、図１に示す２本の糸状弾性要素３４１，３４２は、帯状袋部３２３の中央部３０２において第１帯状部３２１の両エッジから離間しつつ幅方向に互いに近接する。また、長手方向における帯状袋部３２３の両端部３０１，３０３近傍では、２本の糸状弾性要素３４１，３４２は幅方向に互いに離れ、２本の糸状弾性要素３４１，３４２の先端近傍が第１帯状部３２１の両エッジ上にそれぞれ位置する。
【００２９】
基部３３では、長手方向に沿う１本の糸状弾性要素３５１（複数本の糸状弾性要素であってもよい。）が、側壁部３２の一方の端部近傍から他方の端部近傍に亘って配置され、第１シート基部３３１と第２シート基部３３２との間において伸張状態にてホットメルト接着剤により接合される（図２参照）。本体部２を伸張した状態において、糸状弾性要素３５１は、第２帯状部３２２の外側部３２２２の外側エッジよりも外側、かつ、当該外側エッジの近傍に位置する。なお、第１シート基部３３１（第２シート基部３３２であってもよい。）および第１帯状部３２１が、複数のシートを積層したものである場合には、これらのシートの間に糸状弾性要素３４１，３４２，３５１が接合されてもよい。
【００３０】
長手方向における帯状袋部３２３の両端部３０１，３０３では、図２に示すように、第２帯状部３２２の外側部３２２２が第１シート基部３３１にホットメルト接着剤により接合され、内側部３２２１は本体部２（のトップシート２１）に接合される。また、第２シート基部３３２は、幅方向に関して内側部３２２１の近傍から外側のエッジに亘るおよそ全体がトップシート２１およびバックシート２３に接合される。すなわち、第２シート基部３３２の本体部２に対向する面のおよそ全体が本体部２に接合される。
【００３１】
一方、両端部３０１，３０３以外では、第２帯状部３２２の外側部３２２２および内側部３２２１は、いずれの部材にも接合されない（図３および図４参照）。また、第２シート基部３３２は、幅方向における糸状弾性要素３５１の外側においてのみトップシート２１およびバックシート２３に接合される。なお、側壁部３２の全体において、第１シート基部３３１は、幅方向における糸状弾性要素３５１の外側にて第２シート基部３３２に接合され、第１帯状部３２１と第２帯状部３２２とは非接合である。
【００３２】
サイドシート本体３１としては、例えば、疎水性繊維にて形成された撥水性または不透液性の不織布（スパンボンド不織布やメルトブロー不織布、ＳＭＳ不織布等）が利用される。糸状弾性要素３４１，３４２，３５１としては、例えば、ポリウレタン糸や糸状の天然ゴム等が利用され、本実施の形態では、ポリウレタン糸が各糸状弾性要素として利用される。なお、サイドシート本体３１は、必ずしも１枚のシート４にて形成される必要はなく、複数のシートを部分的に接合することにより、上記構造を有するサイドシート本体３１が形成されてもよい。
【００３３】
補助吸収具１では、側壁部弾性部材３４である糸状弾性要素３４１，３４２の集合が収縮することにより、帯状袋部３２３において本体部２から起立する起立部３２４が形成される。したがって、補助吸収具１を内部に取り付けた外装物品を着用者が装着した状態において、長手方向に伸びる一対の側壁部３２が、本体部２の両側部上において本体部２から着用者に向かって起立し、着用者の脚の付け根近傍に当接する一対の立体ギャザーとなる。
【００３４】
このとき、帯状袋部３２３の中央部３０２では、図４に示すように、第２帯状部３２２における内側部３２２１と外側部３２２２とが対向しつつ帯状袋部３２３が起立する。また、糸状弾性要素３４１，３４２が第１折曲線４１（図５．Ｂ参照）上に位置するため、帯状袋部３２３が第１折曲線４１にて折られた状態となり、起立部３２４の上端部が着用者の鼠径部に線状に接触する。さらに、基部弾性部材である糸状弾性要素３５１が収縮することにより、基部３３の糸状弾性要素３５１近傍にてギャザーが形成される。基部３３において糸状弾性要素３５１よりも内側（図４中の左側）の部位は、本体部２と非接合であるため、当該部位も本体部２から起立して、帯状袋部３２３の下部（すなわち、第２帯状部３２２）が本体部２から離れる。
【００３５】
長手方向における帯状袋部３２３の両端部３０１，３０３では、図２に示すように、第２帯状部３２２のおよそ全体が直接または間接的に本体部２に接合されることにより、第１帯状部３２１と第２帯状部３２２とが重なった（すなわち、接触した）状態、および、第２帯状部３２２が本体部２に重なった状態が維持される。このように、両端部３０１，３０３では、帯状袋部３２３が起立せず、起立部３２４が存在しない。
【００３６】
各端部３０１，３０３と中央部３０２との間の境界部（後述するように、帯状袋部３２３の形状が遷移する部位であるため、遷移部と捉えることもできる。）では、図３に示すように、糸状弾性要素３４１，３４２が幅方向に離れており、起立部３２４の上端部（すなわち、糸状弾性要素３４１，３４２の間の部位）が着用者の肌におよそ面状に接触する。また、糸状弾性要素３５１よりも内側（図３中の左側）では、第２シート基部３３２と本体部２とが非接合であるため、帯状袋部３２３の中央部３０２と同様に、帯状袋部３２３の下部が本体部２から離れる。実際には、境界部では中央部３０２側から端部３０１，３０３側に向かって、起立部３２４の上端部の幅が漸次増大し、起立部３２４の上端部と本体部２との間の距離（すなわち、本体部２からの起立部３２４の上端部の高さ）は漸次減小する。
【００３７】
以上に説明したように、補助吸収具１では、本体部２を伸張した状態において、長手方向に伸びる第１帯状部３２１、および、第１帯状部３２１と本体部２との間に配置されるとともに両エッジが第１帯状部３２１の両エッジと接続する第２帯状部３２２が設けられ、第１帯状部３２１および第２帯状部３２２により帯状袋部３２３が形成される。また、帯状袋部３２３の中央部３０２では、長手方向に沿って伸びる側壁部弾性部材３４が、第１帯状部３２１の両エッジから離間して第１帯状部３２１に接合され、帯状袋部３２３の両端部３０１，３０３では、第１帯状部３２１が第２帯状部３２２に重なり、第２帯状部３２２が本体部２に重なった状態（すなわち、帯状袋部３２３が折り畳まれて本体部２に重なる状態）が維持される。これにより、帯状袋部３２３における各端部３０１，３０３と中央部３０２との間の境界部にて、着用者に接する起立部３２４の上端部の本体部２からの高さを長手方向に沿って漸次変化させることができる。その結果、中央部３０２において起立部３２４が大きく起立する補助吸収具１において、中央部３０２から端部３０１，３０３に向かって起立部３２４（の上端部）を着用者の肌に沿わせて、着用者と起立部３２４との間からの排泄物の漏れを防止することができる。また、境界部において起立部３２４による着用者の肌への圧迫の程度を緩和することもできる。
【００３８】
また、補助吸収具１では、帯状袋部３２３の中央部３０２において、幅方向における帯状袋部３２３のおよそ中央に側壁部弾性部材３４が位置することにより、中央部３０２において起立部３２４を大きく起立させることができる。さらに、中央部３０２近傍において第２シート基部３３２が、帯状袋部３２３よりも外側にて本体部２に接合されることにより、中央部３０２において起立部３２４をさらに大きく起立させることができる。
【００３９】
補助吸収具１では、様々な変更が可能である。
【００４０】
側壁部弾性部材３４は、第１帯状部３２１の両エッジから離間して第１帯状部３２１に接合される（すなわち、中央部３０２において第１帯状部３２１の両エッジ近傍に弾性部材が存在せず、かつ、当該弾性部材は第２帯状部３２２に接合されない）のであれば、幅方向における帯状袋部３２３の中央からずれた位置に配置されてもよい。この場合においても、中央部３０２において側壁部３２をある程度起立させることができる。
【００４１】
また、図１の補助吸収具１では、側壁部弾性部材３４が、帯状袋部３２３の一方の端部３０１近傍から他方の端部３０３近傍に亘って配置されるが、例えば、図６に示すように、帯状袋部３２３の中央部３０２近傍のみに側壁部弾性部材３４ａが設けられてもよい。この場合、帯状袋部３２３の中央部３０２では、図４と同様に、起立部３２４の上端部が着用者の肌に線状に接触し、帯状袋部３２３の各端部３０１，３０３では、図２と同様に、帯状袋部３２３が折り畳まれて本体部２に重なった状態が維持される。また、中央部３０２と端部３０１，３０３との間の境界部では、中央部３０２における側壁部弾性部材３４ａの収縮の影響により、中央部３０２側から端部３０１，３０３側に向かって、起立部３２４の上端部の幅が漸次増大し、起立部３２４の上端部の本体部２からの高さは漸次減小する。これにより、境界部において起立部３２４を着用者の肌に沿わせるとともに、起立部３２４による着用者の肌への圧迫の程度を緩和することができる。
【００４２】
一方、境界部においても起立部３２４を着用者に密着させるには、長手方向における帯状袋部３２３の一方の端部３０１近傍から他方の端部３０３近傍に亘って側壁部弾性部材が配置されることが好ましい。この場合に、境界部において、本体部２からの上端部の高さが漸次変化する起立部３２４を適切に形成するには、図１の補助吸収具１のように、両端部３０１，３０３近傍における側壁部弾性部材３４と第１帯状部３２１の両エッジとの間の距離（の和）が、中央部３０２における当該距離（の和）よりも短いことが好ましい。
【００４３】
このような構造の側壁部弾性部材は、例えば、図７に示すように、帯状のポリウレタンフィルムや天然ゴム等にて形成される帯状の側壁部弾性部材３４ｂにより実現することも可能である。図７の側壁部弾性部材３４ｂでは、両端部３０１，３０３近傍における幅が中央部３０２における幅よりも広い。
【００４４】
なお、Ｘ字状に配置される２本の糸状弾性要素３４１，３４２の間に他の糸状弾性要素を配置する等して、３以上の糸状弾性要素により側壁部弾性部材が実現されてもよい。
【００４５】
補助吸収具１の設計によっては、図８に示すように、中央部３０２においても第２シート基部３３２の全体が本体部２に接合されてもよい。図８では、本体部２を伸張した状態における帯状袋部３２３を二点鎖線にて図示している。図８の補助吸収具１では、内側部３２２１および外側部３２２２の互いに隣接するエッジを固定端として起立部３２４が形成される。
【００４６】
帯状袋部３２３の中央部３０２では、起立部３２４が起立した状態において互いに対向する第１帯状部３２１の部位同士、および、第２帯状部３２２の部位同士（すなわち、図５．Ａ中の第２折曲線４２から先端における互いに対向するシート同士）が、全体的にまたは部分的に接合されてもよい。
【００４７】
帯状袋部は、様々な態様にて実現されてよく、第２帯状部３２２では、必ずしも内側部３２２１と外側部３２２２とが分離している必要はない（すなわち、内側部３２２１と外側部３２２２とが連続していてもよい。）。
【００４８】
上記実施の形態では、長手方向における帯状袋部３２３の両端部３０１，３０３において、第２帯状部３２２のおよそ全体が本体部２上に接合されるが（図２参照）、第１帯状部３２１と第２帯状部３２２とが重なった状態、および、第２帯状部３２２が本体部２に重なった状態が維持されるのであれば、例えば、第２帯状部３２２の両エッジ近傍のみが本体部２に接合される、あるいは、第１帯状部３２１と第２帯状部３２２とが部分的に接合され、第２帯状部３２２と本体部２とが部分的に接合されてもよい。
【００４９】
補助吸収具１では、バックシート２３が、単層のシート部材や３層以上のシート部材の積層体であってもよい。
【００５０】
上記実施の形態に係る補助吸収具１の構造は、例えば、着用者の腹側に当接する部位と背側に当接する部位とを腰回りで止着して着用するテープタイプの使い捨ておむつや、上端に胴部開口を有するとともに下部に一対の脚部開口を有するパンツタイプの使い捨ておむつに適用されてもよい。このように、補助吸収具１の構造は使い捨ておむつ等の他の吸収性物品に適用されてもよい。
【００５１】
上記実施の形態および各変形例における構成は、相互に矛盾しない限り適宜組み合わされてよい。
【符号の説明】
【００５２】
１    補助吸収具
２    本体部
３    サイドシート
２１    トップシート
２２    吸収コア
２３    バックシート
３２    側壁部
３４，３４ａ，３４ｂ    側壁部弾性部材
３０１，３０３    端部
３０２    中央部
３２１    第１帯状部
３２２    第２帯状部
３２３    帯状袋部
３２４    起立部
３３１    第１シート基部
３３２    第２シート基部
３４１，３４２    糸状弾性要素
３２２１    内側部
３２２２    外側部
【図１】
0005977928.tif 000002
【図２】
0005977928.tif 000003
【図３】
0005977928.tif 000004
【図４】
0005977928.tif 000005
【図５．Ａ】
0005977928.tif 000006
【図５．Ｂ】
0005977928.tif 000007
【図６】
0005977928.tif 000008
【図７】
0005977928.tif 000009
【図８】
0005977928.tif 000010